(57)【要約】【課題】所有者が常時持ち歩いている既存のカードを使用して当該装置の所有者を認証できるようにする。【解決手段】磁気カード２から所有者データＤ１を読取る磁気ヘッド１５と、この磁気ヘッド１５から得られた所有者データＤ１を本人認証用の認証データ（Ｎ）として記憶するＥＥＰＲＯＭ１８と、磁気ヘッド１５を使用して磁気カード２から読み取られる所有者データＤ１を認証入力データとしたとき、ＥＥＰＲＯＭ１８に記憶された認証データ（Ｎ）と磁気カード２から読み取られた認証入力データとを比較し、この比較結果に基づいて当該装置の所有者を認証するＣＰＵ２５とを備えるものである。この構成によって、所有者が常時持ち歩いている既存のカードを使用して当該装置の所有者を認証することができる。【選択図】        図２
2005010847.tif 000002
【特許請求の範囲】
【請求項１】
所有者情報が記録されたカードに基づいて情報を処理する携帯情報端末装置において、
前記カードから所有者情報を読取る情報読取手段と、
前記情報読取手段から得られた所有者情報を本人認証用の認証データとして記憶する記憶手段と、
前記情報読取手段を使用して前記カードから読み取られる所有者情報を認証入力データとしたとき、前記記憶手段に記憶された前記認証データと前記カードから読み取られた認証入力データとを比較し、比較結果に基づいて当該装置の所有者を認証する制御手段とを備えることを特徴とする携帯情報端末装置。
【請求項２】
前記情報読取手段によって所有者情報が読取られるカードに関して、磁気カード又は電子カードが使用されることを特徴とする請求項１に記載の携帯情報端末装置。
【請求項３】
前記磁気カードが使用される場合であって、
前記情報読取手段には、
前記磁気カードから所有者情報を読取る磁気ヘッドが備えられることを特徴とする請求項２に記載の携帯情報端末装置。
【請求項４】
前記電子カードが使用される場合であって、
前記情報読取手段には、
前記電子カードから所有者情報を読取る電磁式の読取り装置が備えられることを特徴とする請求項２に記載の携帯情報端末装置。
【請求項５】
所有者情報が記録されたカードと、前記カードから所有者情報を読取可能な携帯情報端末装置とを準備し、
予め前記携帯情報端末装置を使用して前記カードから所有者情報を読み取って本人を認証する認証データを登録し、以後、
前記携帯情報端末装置を使用して前記カードから読み取られる所有者情報を認証入力データとしたとき、
予め登録された前記認証データと前記カードから読み取られた認証入力データとを比較し、
比較結果に基づいて前記携帯情報端末装置の所有者を認証するようにしたことを特徴とする携帯情報端末装置の所有者認証方法。
【請求項６】
前記カードに関して、磁気カード又は電子カードが使用されることを特徴とする請求項５に記載の携帯情報端末装置の所有者認証方法。
【請求項７】
前記磁気カードが使用される場合であって、
前記磁気カードから所有者情報を読取ることを特徴とする請求項６に記載の携帯情報端末装置の所有者認証方法。
【請求項８】
前記電子カードが使用される場合であって、
前記電子カードから所有者情報を読取ることを特徴とする請求項６に記載の携帯情報端末装置の所有者認証方法。
【請求項９】
任意の携帯情報端末装置の所有者を認証するシステムであって、
前記所有者情報が記録されたカードと、
前記カードから所有者情報を読取可能な携帯情報端末装置とを備え、
予め前記携帯情報端末装置を使用して前記カードから所有者情報を読み取って本人を認証する認証データを登録し、以後、
前記携帯情報端末装置を使用して前記カードから読み取られる所有者情報を認証入力データとしたとき、
予め登録された前記認証データと前記カードから読み取られた認証入力データとを比較し、
比較結果に基づいて前記携帯情報端末装置の所有者を認証するようにしたことを特徴とする携帯情報端末装置の所有者認証システム。
【請求項１０】
前記カードに関して、磁気カード又は電子カードが使用されることを特徴とする請求項９に記載の携帯情報端末装置の所有者認証システム。
【請求項１１】
前記磁気カードが使用される場合であって、
前記磁気カードから所有者情報を読取ることを特徴とする請求項１０に記載の携帯情報端末装置の所有者認証システム。
【請求項１２】
前記電子カードが使用される場合であって、
前記電子カードから所有者情報を読取ることを特徴とする請求項１０に記載の携帯情報端末装置の所有者認証システム。
【発明の詳細な説明】
【０００１】
【発明の属する技術分野】
本発明は、携帯電話機、携帯ゲーム機、電子手帳、ノート型のパーソナルコンピュータ等の所有者認証に適用して好適な携帯情報端末装置、その所有者認証方法及びその所有者認証システムに関するものである。
【０００２】
詳しくは、所有者情報が記録されたカードに基づいて情報を処理する場合に、当該装置の所有者を認証する制御手段を備え、そのカードから読み取られる所有者情報を認証入力データとしたとき、予め記憶手段に記憶された認証データとカードから読み取られた認証入力データとを比較することで、所有者が常時持ち歩いている既存のカードに基づいて当該装置の所有者を認証できるようにしたものである。
【０００３】
【従来の技術】
近年、半導体集積回路装置の高密度実装化及び、情報処理機能の向上に伴い、携帯電話機、携帯ゲーム機、電子手帳、ノート型のパーソナルコンピュータ等の携帯情報端末装置が使用される場合が多くなってきた。
【０００４】
この種の携帯情報端末装置のセキュリティを保つ１つの方法として、パスワードを入力する方法が採られる。パスワードは、本人が忘れないような生年月日、自宅の電話番号等を当てたり、ユニークな文字や記号を組み合わせたものが使用される。ユニークな文字や記号は、本人が忘れないようにするために、紙や手帳等に書き留めておく場合が多い。
【０００５】
この他に、携帯情報端末装置のセキュリティを保つ方法には、指紋認証や、虹彩認証、セキュリティー専用のカード認証、物理的な「鍵」による認証等が挙げられる。例えば、特許文献１には、携帯個人認証装置及び、同装置によりアクセスが許可される電子システムが記載されている。この携帯個人認証装置によれば、指紋、声紋、虹彩紋、網膜紋、顔、署名等の生物学的特徴を用いて本人を認証する手段を備え、同装置によりアクセスが許可される電子システムにおけるセキュリティ機能の充実を図っている。
【０００６】
また、特許文献２には携帯通信機器の個人認証方法及び、それを記述したプログラムが記載されている。この携帯通信機器によれば、暗証番号入力手段及び指紋認証手段を備え、セキュリティ機能の低い機能に関して指紋認証手段を用いて本人認証を行い、セキュリティ機能の高い機能に関しては暗証番号入力手段及び指紋認証手段を用いて本人認証を行うことで、使い勝手が良く、しかも、セキュリティ機能の低い機能に関して暗証番号入力の煩わしさを解消できるというものである。
【０００７】
【特許文献１】
特開２００１−９２７８６号公報（第２頁、図２）
【特許文献２】
特開２００３−９１５０９号公報（第２頁、図２）
【０００８】
【発明が解決しようとする課題】
ところで、従来例に係る携帯情報端末装置のセキュリティを保つ方法によれば、以下のような問題がある。
▲１▼  パスワードによりセキュリティを保つ方法は、パスワードを忘れると携帯情報端末装置が使えなくなる。従って、パスワードを覚えておくために紙や手帳等にそのパスワードを記載しておく必要がある。因みに、パスワードが記載された紙や手帳等を常時、所有者が持ち歩くとは限らない。
▲２▼  特許文献１及び２に示されるような指紋認証や、虹彩認証などの人体の構成部位を利用する認証システムは、高価であり、これを装備するために、セットサイズを大きくしなければならず、当該携帯情報端末装置の小型化及び低廉化の妨げとなる。
▲３▼  セキュリティー専用のカード認証は、専用カードを新たに持ち歩く必要性が生じたり、新規カードを作成するための費用が発生する。
▲４▼  物理的な「鍵」によりセキュリティを保つ方法は、当該携帯情報端末装置の鍵機構部を機械的に破壊されてしまうと意味を成さなくなる。しかも、所有者は常時「鍵」を持ち歩く必要がある。
【０００９】
そこで、この発明はこのような従来の課題を解決したものであって、所有者が常時持ち歩いている既存のカードを使用して当該装置の所有者を認証できるようにした携帯情報端末装置、その所有者認証方法及びその所有者認証システムを提供することを目的とする。
【００１０】
【課題を解決するための手段】
上述した課題は、所有者情報が記録されたカードに基づいて情報を処理する携帯情報端末装置において、カードから所有者情報を読取る情報読取手段と、この情報読取手段から得られた所有者情報を本人認証用の認証データとして記憶する記憶手段と、情報読取手段を使用してカードから読み取られる所有者情報を認証入力データとしたとき、記憶手段に記憶された認証データとカードから読み取られた認証入力データとを比較し、比較結果に基づいて当該装置の所有者を認証する制御手段とを備えることを特徴とする携帯情報端末装置によって解決される。
【００１１】
本発明に係る携帯情報端末装置によれば、所有者情報が記録されたカードに基づいて情報を処理する場合に、情報読取手段ではカードから所有者情報が読取られる。記憶手段には、情報読取手段から得られた所有者情報が本人認証用の認証データとして記憶される。これを前提として、制御手段では、情報読取手段を使用してカードから読み取られた所有者情報を認証入力データとしたとき、予め記憶手段に記憶された認証データと、それ以後、カードから読み取られた認証入力データとを比較し、この比較結果に基づいて当該装置の所有者を認証するようになる。
【００１２】
従って、予め任意に設定された本人認証用の認証データに基づいて当該装置の所有者を認証することができるので、クレジットカードや、キャッシュカード等の所有者情報が記録された既存のカードを使用した携帯情報端末装置の所有者認証システムの提供に寄与するところが大きい。
【００１３】
本発明に係る携帯情報端末装置の所有者認証方法は、所有者情報が記録されたカードと、カードから所有者情報を読取可能な携帯情報端末装置とを準備し、予め携帯情報端末装置を使用してカードから所有者情報を読み取って本人を認証する認証データを登録し、以後、携帯情報端末装置を使用してカードから読み取られる所有者情報を認証入力データとしたとき、予め登録された認証データとカードから読み取られた認証入力データとを比較し、この比較結果に基づいて携帯情報端末装置の所有者を認証するようにしたことを特徴とするものである。
【００１４】
本発明に係る携帯情報端末装置の所有者認証方法によれば、携帯情報端末装置の所有者が本人認証用の認証データを任意に設定することができるので、クレジットカードや、キャッシュカード等の所有者情報が記録された既存のカードを使用した携帯情報端末装置の所有者認証システムを構築することができる。
【００１５】
本発明に係る携帯情報端末装置の所有者認証システムは、任意の携帯情報端末装置の所有者を認証するシステムであって、所有者情報が記録されたカードと、カードから所有者情報を読取可能な携帯情報端末装置とを備え、予め携帯情報端末装置を使用してカードから所有者情報を読み取って本人を認証する認証データを登録し、以後、携帯情報端末装置を使用してカードから読み取られる所有者情報を認証入力データとしたとき、予め登録された認証データとカードから読み取られた認証入力データとを比較し、この比較結果に基づいて携帯情報端末装置の所有者を認証するようにしたことを特徴とするものである。
【００１６】
本発明に係る携帯情報端末装置の所有者認証システムによれば、携帯情報端末装置の所有者が本人認証用の認証データを任意に設定することができるので、クレジットカードや、キャッシュカード等の所有者情報が記録された既存のカードを使用して携帯情報端末装置の所有者を認証することができる。
【００１７】
【発明の実施の形態】
続いて、この発明に係る携帯情報端末装置、その所有者認証方法及びその所有者認証システムの一実施の形態について、図面を参照しながら説明をする。
図１は本発明に係る実施形態としての携帯情報端末装置１００の所有者認証システム１の構成例を示す概念図である。
【００１８】
この実施形態では、所有者情報が記録されたカードに基づいて情報を処理する場合に、当該装置の所有者を認証する制御手段を備え、そのカードから読み取られる所有者情報を認証入力データとしたとき、予め記憶手段に記憶された認証データとカードから読み取られた認証入力データとを比較することで、所有者が常時持ち歩いている既存のカードに基づいて当該装置の所有者を認証できるようにしたものである。
【００１９】
図１に示す携帯情報端末装置の所有者認証システム１は、任意の携帯情報端末装置１００の所有者を認証するシステムである。このシステム１は、携帯電話機、携帯ゲーム機、電子手帳、ノート型のパーソナルコンピュータ等の所有者認証に適用して極めて好適である。このシステム１では、所有者情報が記録されたカードが準備される。このカードに関しては、ユーザが何時も持ち歩いているクレジットカードや、キャッシュカード等が対象となり、これらのカードには、磁気カード２や電子カード等が使用される。この種のカードには、住所、氏名、性別、生年月日、有効期限等の個人情報が記述される場合が多い。磁気カード２を適用する場合には、携帯情報端末装置１００に内蔵される磁気情報読取り機能を利用して、この磁気カード２から所有者情報を読取るようになされる。
【００２０】
このシステム１で、携帯情報端末装置（ＰＤＡ）１００は所有者認証対象物であり、例えば、磁気カード２から所有者情報（磁気情報）を読み取って当該携帯情報端末装置１００の所有者を認証するシステムを構築する場合、携帯情報端末装置１００には、ＰＤＡ本体部１１、操作ボタン１２、表示手段１３、スリット１４及び磁気ヘッド１５が備えられる。
【００２１】
ＰＤＡ本体部１１は筐体状を成している。ＰＤＡ本体部１１の前面は操作パネルとなされ、操作ボタン１２や表示手段１３等が取付けられる。操作ボタン１２には、各種機能ボタンや電源スイッチＳＷ等が含まれる。機能ボタンの１つは、例えば、カーソル機能を有しており、表示手段１３に表示された設定ボタンを選択できるようになされている。電源スイッチＳＷはＰＤＡ本体部１１の側面に設けてもよい。
【００２２】
表示手段１３には液晶表示ディスプレイが使用され、例えば、初期設定画面において設定ボタンが表示され、認証モードを実行するか否かを機能ボタンのカーソル機能を利用して選択するように操作される。また、表示手段１３には、認証データ登録時に、「新規認証データ待ち」、「データ入力」、「再度新規認証データ入力」、「認証データ  ＦＡＩＬ」が表示される。所有者認証時には、「認証データ待ち」、「認証  ＰＡＳＳ」、「認証  ＦＡＩＬ」等の文字情報が表示される。スリット１４はＰＤＡ本体部１１の側面に設けられる。磁気カード２は、スリット１４に通すように操作される。磁気ヘッド１５は例えば、スリット１４の内部中央付近に取付けられる。磁気ヘッド１５は磁気カード２に設けられた帯状の磁気テープから所有者情報を読取って所有者読取り信号を出力する。
【００２３】
このシステム１００では、予め携帯情報端末装置１００を使用して磁気カード２等から所有者情報を読み取り、本人を認証するための認証データをＰＤＡ本体部１１内に登録するようになされる。この認証データを登録した後において、予め登録された認証データと次回使用時の磁気カード２から読み取られた認証入力データとを比較し、この比較結果に基づいて携帯情報端末装置１００の所有者を認証するようになされる。ここに認証入力データとは、認証データの登録以後において、当該携帯情報端末装置１００を使用して磁気カード２等から読み取られる所有者情報をいう。
【００２４】
このシステムでは、次回使用時も、登録時のカードと同じカードを使用していれば、予め登録された認証データと認証入力データとが一致するはずである。この点にセキュリティ性を見出している。本人を認証するための認証データは、複数のカードが登録可能となされている。これは、登録可能なカードを１枚に限ってしまうと、ユーザが何時も持ち歩いているクレジットカードや、キャッシュカード等の中で、たまたまその日に限って登録済みのカードを所持していない場合が想定され、この事態に好適かつ円滑に対処するためである。
【００２５】
複数のカードを登録可能としたことから、ＰＤＡ本体部１１では、予め登録された複数の認証データと認証入力データとを順次、比較処理するようになされる。認証データの登録時には、予め設定された設定施行回数及び入力ミス許可回数に基づいて認証設定処理がなされる。認証入力データの認証時には、予め設定された認証施行回数や認証許可回数等に基づいて所有者認証処理がなされる。
【００２６】
従って、当該携帯情報端末装置１０００を紛失した場合や、運悪くそれを盗難に遭い、幸運にも発見された場合に、真の所有者情報が記録された磁気カード２等を当該携帯情報端末装置１００に読み取らせることで、「認証  ＰＡＳＳ」、あるいは、「本人認証ＯＫ」となって、本人の持ち物であることを容易に証明可能となる。その後、所有者は当該携帯情報端末装置１００において、情報処理に必要なアプリケーションを起動できるようになる。
【００２７】
図２は、磁気情報読取り機能付きの携帯情報端末装置１００の内部構成例を示すブロック図である。図２に示す携帯情報端末装置１００は、所有者情報が記録された磁気カード２に基づいて情報を処理する装置である。携帯情報端末装置１００は、情報読取手段の一例となる磁気ヘッド１５及び、信号処理部１６を有している。磁気ヘッド１５は、磁気カード２から所有者情報（磁気情報）を読み取って所有者読取り信号Ｓ１を出力するようになされる。
【００２８】
この磁気ヘッド１５には信号処理部１６が接続され、磁気ヘッド１５から出力される所有者読取り信号Ｓ１を増幅したり、所有者読取り信号Ｓ１をアナログ・デジタル（Ａ／Ｄ）変換処理して、デジタルの所有者データＤ１を出力するようになされる。信号処理部１６は図示しない増幅回路やＡ／Ｄ変換器から構成される。
【００２９】
信号処理部１６には制御手段の一例となるＣＰＵ２５が接続される。ＣＰＵ２５にはシステムバス１７が接続され、このシステムバス１７には記憶手段の一例となるＥＥＰＲＯＭ１８が接続され、信号処理部１６から得られた所有者データＤ１を本人認証用の認証データ（Ｎ）として記憶する。これは、次回使用時に、ＥＥＰＲＯＭ１８から所有者データＤ１を読み出して本人を認証するためである。
【００３０】
この例で、磁気カード２から磁気ヘッド１５を使用して読み取られた所有者データＤ１を認証入力データとしたとき、ＣＰＵ２５は、ＥＥＰＲＯＭ１８に予め記憶された認証データ（Ｎ）と磁気カード２から読み取られた認証入力データとを比較し、この比較結果に基づいて当該装置の所有者を認証するようになされる。
【００３１】
ＣＰＵ２５には操作手段（図中、Ｋｅｙで示す）２４が接続され、各種機能ボタンや電源スイッチＳＷ等を操作することにより発生する操作データＤ２をＣＰＵ２５に出力する。例えば、ＣＰＵ２５は電源スイッチＳＷの操作により得られる操作データＤ２から、「ＰＯＷＥＲ  ＯＮ」情報を検出する。また、システムバス１７には、上述したＣＰＵ２５やＥＥＰＲＯＭ１８の他に、ＲＯＭ１９、ＲＡＭ２１、ＬＣＤコントローラ２３、外部インターフェース（Ｉ／Ｆ）２９が接続される。
【００３２】
ＲＯＭ１９には当該装置全体を制御するためのシステムプログラムＤＰが格納される。システムプログラムＤＰには所有者認証を行うか否かを確認するためのアプリケーションが含まれている。このアプリケーション内容は、電源オンと共に、表示手段１３に表示され、この表示画面の中に設定ボタンが表示される。例えば、この表示画面中で設定ボタンを「認証設定」とするように操作する。これにより、所有者認証を行うためのプログラムが起動され、電源オン時の所有者認証を行うようになされる。このアプリケーションには認証データ（Ｎ）を更新するためのプログラムが準備されている。
【００３３】
ＲＡＭ２１はワークメモリとして使用される。例えば、認証データ登録時に、設定施行回数Ｍや入力ミス許可回数等を記憶するように使用される。また、予め登録された認証データ（Ｎ）をＲＡＭ２１に展開したり、所有者認証時に、ＲＡＭ２１は、認証施行回数Ｍ’や認証許可回数等を記憶するように使用される。
【００３４】
ＬＣＤコントローラ２３は表示手段（図中、ＬＣＤで示す）１３に接続され、この表示手段１３を制御する。例えば、認証データ登録時に、「新規認証データ待ち」、「データ入力」、「再度新規認証データ入力」、「認証データ  ＦＡＩＬ」を表示手段１３に表示するように制御する。また、所有者認証時には、「認証データ待ち」、「認証  ＰＡＳＳ」、「認証  ＦＡＩＬ」等の文字情報を表示手段１３に表示するように制御する。
【００３５】
外部インターフェース（Ｉ／Ｆ）２９は当該携帯情報端末装置１００を外部機器と接続する際に使用される。例えば、所有者認証を行うアプリケーションがバージョンアップした場合に、外部のパソコン等から新規なアプリケーションをＥＥＰＲＯＭ１８等に取り込む際に外部インターフェース（Ｉ／Ｆ）２９が使用される。
【００３６】
なお、ＣＰＵ２５にはアンプ（Ａｍｐ）２６が接続され、このアンプ２６にはスピーカ２７が接続される。アンプ２６は例えば、各種情報処理に基づく音声信号Ｓ２を増幅し、スピーカ２７は増幅後の音声信号Ｓ２を拡声するようになされる。当該装置には電源ブロック２２が設けられ、磁気ヘッド１５、信号処理部１６、ＥＥＰＲＯＭ１８、ＲＯＭ１９、ＲＡＭ２１、ＬＣＤコントローラ２３、操作手段（Ｋｅｙ）２４、ＣＰＵ２５、アンプ２６及び、外部インターフェース（Ｉ／Ｆ）２９等に電源を供給するようになされる。電源ブロック２２から各機能部等への電源供給線は省略する。このようにして、携帯情報端末装置１００を構成し、認証データ登録処理や、所有者認証処理、各種情報処理等を実行する。
【００３７】
続いて、本発明に係る携帯情報端末装置１００の所有者認証方法を２つに分けて説明をする。図３は携帯情報端末装置１００における認証データ登録時の処理例を示すフローチャートである。
【００３８】
この実施形態では、所有者データＤ１が既に記録されたクレジットカードや、キャッシュカード等の磁気カード２と、この磁気カード２から所有者データＤ１を読取可能な携帯情報端末装置１００とが準備され、予め携帯情報端末装置１００を使用して磁気カード２から所有者データＤ１を読み取って本人を認証するための認証データ（Ｎ）を登録する場合を例に挙げる。
【００３９】
この例では、携帯情報端末装置１００のＲＯＭ１９に格納されたアプリケーションにおいて、「Ｐｏｗｅｒ  ＯＮ」時に認証を行うか否かについての設定ボタンを「認証設定」にすることにより「Ｐｏｗｅｒ  ＯＮ」時の認証を可能とするようになされる。また、認証データ（Ｎ）の登録信頼性を高めるために、読取り操作を２回施行させて２度とも同じ結果が得られた場合に、認証データ（Ｎ）を登録するようになされる。
【００４０】
これを処理条件にして、図４に示すフローチャートのステップＡ１でユーザは電源スイッチＳＷを操作してセットを「ＰＯＷＥＲ  ＯＮ」する。この「ＰＯＷＥＲ  ＯＮ」によって電源ブロック２２は、磁気ヘッド１５、信号処理部１６、ＥＥＰＲＯＭ１８、ＲＯＭ１９、ＲＡＭ２１、ＬＣＤコントローラ２３、操作手段（Ｋｅｙ）２４、ＣＰＵ２５、アンプ２６及び、外部インターフェース（Ｉ／Ｆ）２９等に電源を供給するようになされる。
【００４１】
ＣＰＵ２５は操作データＤ２に基づいて電源オン情報を検出し、認証アプリケーションを立ち上げる。その後、ステップＡ３でＣＰＵ２５は認証データ（Ｎ）の設定施行回数Ｍを「１」にセット（Ｍ＝１）する。その後、ステップＡ４でＣＰＵ２５は「新規認証データ待ち」を表示手段１３に表示するように表示データＤ３を出力して制御する。表示手段１３はＣＰＵ２５から入力した表示データＤ３に基づいて「新規認証データ待ち」を表示する。
【００４２】
そして、ステップＡ５でＣＰＵ２５は、認証データ（Ｎ）が入力されるまで表示手段１３における表示を継続して待機する。このとき、ユーザは、磁気カード２をスロット１４に通すように操作する。磁気ヘッド１５では磁気カード２から所有者データＤ１が読取られる。ＥＥＰＲＯＭ１８には、磁気ヘッド１５から得られた所有者データＤ１が本人認証用の認証データ（Ｎ）として記憶される。
【００４３】
この一連の動作に基づいて、認証データ（Ｎ）がＰＤＡ本体部１１内に入力された場合は、ステップＡ６でＣＰＵ２５は表示手段１３に「データ入力」を表示するように制御する。表示手段１３はＣＰＵ２５の表示制御を受けて「データ入力」を表示する。その後、ステップＡ７に移行してＣＰＵ２５は、「再度新規認証データ入力」を表示手段１３に表示するように制御する。これは読取り操作を２回施行させるためである。表示手段１３はＣＰＵ２５の表示制御を受けて「再度新規認証データ入力」を表示する。
【００４４】
そして、ステップＡ８で再度新規認証データが入力されるまで表示手段１３は、「再度新規認証データ入力」を表示して待機する。ステップＡ８で新規認証データが入力された場合は、ステップＡ９に移行してＣＰＵ２５は、１回目と２回目の認証データ（Ｎ）が合致するかを判定する。両者の認証データ（Ｎ）が合致する場合は、ステップＡ１０に移行して、ＣＰＵ２５は、既に登録されている認証データ（Ｎ）を１つ増やすべく、認証データ（認証データ登録数＋１）＝（新認証データ）とする処理を実行する。その後、ステップＡ１１に移行して認証データ登録数＝認証データ登録数＋１を設定する。そして、ステップＡ１５に移行する。
【００４５】
また、ステップＡ９で１回目と２回目の認証データが合致しない場合は、ステップＡ１２に移行してＣＰＵ２５は、「認証ＦＡＩＬ」を表示手段１３に表示するように制御する。この表示制御を受けて表示手段１３は「認証ＦＡＩＬ」を表示する。その後、ステップＡ１３に移行して認証データ（Ｎ）の設定施行回数Ｍとその入力ミス許可回数とを比較して、設定施行回数Ｍが入力ミス許可回数以下（Ｍ≦入力ミス許可回数）か否かを判定する。
【００４６】
この設定施行回数Ｍが入力ミス許可回数以下である場合は、ステップＡ１４に移行して設定施行回数Ｍをインクリメントするべく、Ｍ＝Ｍ＋１してステップＡ４に戻る。ステップＡ４でＣＰＵ２５は、「新規認証データ待ち」を表示手段１３に表示するように制御する。表示手段１３はＣＰＵ２５の表示制御を受けて「新規認証データ待ち」を表示する。その後、上述した処理を繰り返すようになされる。
【００４７】
なお、ステップＡ１３で設定施行回数Ｍが入力ミス許可回数を越える場合は、ステップＡ１５に移行してＣＰＵ２５は電源オフ情報を検出して認証設定処理を終了する。これにより、本人を認証するための認証データ（Ｎ）をＥＥＰＲＯＭ１８等に登録（記憶）することができ、以後、ユーザ認証を行うためのセキュリティモードの設定が完了する。
【００４８】
図４及び図５は携帯情報端末装置１００における所有者認証時の処理例（その１、２）を示すフローチャートである。
この実施形態では、所有者の認証データ（Ｎ）を登録した以後、携帯情報端末装置１００を使用して磁気カード２から読み取られる所有者データＤ１を認証入力データとしたとき、予め登録された認証データ（Ｎ）と磁気カード２から読み取られた所有者データ（認証入力データ）Ｄ１とを比較し、この比較結果に基づいて携帯情報端末装置１００の所有者を認証する場合を前提とする。もちろん、当該携帯情報端末装置１００では、セット電源を立ち上げられた際に、予めセキュリティモードが設定されている場合は、必ずユーザー認証の画面が立ち上がり、認証データ（Ｎ）の入力待ちになる場合を前提とする。
【００４９】
これを処理条件にして、図４に示すフローチャートのステップＢ１でユーザは電源スイッチＳＷを操作してセットを「ＰＯＷＥＲ  ＯＮ」する。この「ＰＯＷＥＲ  ＯＮ」によって、ステップＢ２で電源ブロック２２はＣＰＵ電源を立ち上げ、更に、ステップＢ３で電源ブロック２２は各モジュール電源を立ち上げ、磁気ヘッド１５、信号処理部１６、ＥＥＰＲＯＭ１８、ＲＯＭ１９、ＲＡＭ２１、ＬＣＤコントローラ２３、操作手段（Ｋｅｙ）２４、アンプ２６及び、外部インターフェース（Ｉ／Ｆ）２９等に電源を供給するようになされる。
【００５０】
その後、ステップＢ４でＣＰＵ２５はアプリケーションの起動要因を確認する。そして、ステップＢ５でＣＰＵ２５はセキュリティーモードが「ＯＮ」されているか否かを判別する。セキュリティーモードが「ＯＮ」されているか否かは、ＥＥＰＲＯＭ１８等に認証データ（Ｎ）が登録（記憶）されているかを検出することで判別される。セキュリティーモードが「ＯＮ」されている場合は、ステップＢ６に移行してＣＰＵ２５は、所有者認証アプリケーションを立ち上げる。当該アプリケーションはＲＯＭ１９からＲＡＭ２１等へ読み出される。
【００５１】
その後、ステップＢ７に移行してＣＰＵ２５は、認証施行回数Ｍ’を「１」にセット（Ｍ’＝１）する。その後、ステップＢ８に移行してＣＰＵ２５は、「認証データ待ち」を表示するように表示データＤ３を出力して表示手段１３を表示制御する。表示手段１３は表示データＤ３に基づいて「認証データ待ち」を表示する。そして、ステップＢ９で認証データ（Ｎ）が入力されるまで表示手段１３は、「認証データ待ち」を表示して待機する。
【００５２】
このとき、ユーザは、既に認証登録してある磁気カード２をセット上のスロット１４に通すように操作する。磁気ヘッド１５では磁気カード２から所有者データＤ１が読取られる。磁気ヘッド１５から得られた所有者データＤ１（認証入力データ）は、例えばＲＡＭ２１に記憶される。認証入力データがＲＡＭ２１等に記憶された場合は、ステップＢ１０でＣＰＵ２５は、「データ入力」を表示するように表示手段１３を表示制御する。表示手段１３はこの制御を受けて「データ入力」を表示する。
【００５３】
その後、ステップＢ１１に移行してＣＰＵ２５は認証登録データ数Ｎを「１」にセット（Ｎ＝１）する。そして、ステップＢ１２で認証データ（Ｎ）が認証入力データと等しくなった（認証データ（Ｎ）＝認証入力データ）か否かを判定する。認証入力データが認証データ（Ｎ）に等しい場合（ＯＫ）は、ステップＢ１３に移行して「認証ＰＡＳＳ」を表示するように表示手段１３を表示制御する。表示手段１３はこの制御を受けて「認証ＰＡＳＳ」を表示する。
【００５４】
また、ステップＢ５でセキュリティーモードが「ＯＦＦ」されている場合、及び、ステップＢ１３で表示手段１３に「認証ＰＡＳＳ」を表示した後は、ステップＢ１４に移行してＣＰＵ２５は起動要因によるアプリケーションを立ち上げる。このアプリケーションに基づいて各種データ処理を実行する。そして、ステップＢ２０に移行する。
【００５５】
なお、ステップＢ１２で認証入力データが認証データ（Ｎ）と異なる場合は、ステップＢ１５に移行する。ステップＢ１５でＣＰＵ２５は認証データ（Ｎ）が認証データ登録数以下（Ｎ≦認証データ登録数）か否かを判定する。認証データ（Ｎ）が認証データ登録数以下である場合は、ステップＢ１６に移行して認証データ（Ｎ）を１つインクリメントするべく、Ｎ＝Ｎ＋１してステップＢ１２に戻る。
【００５６】
また、ステップＢ１５で認証データ（Ｎ）が認証データ登録数を越える場合は、ステップＢ１７に移行して「認証ＦＡＩＬ」を表示するように表示データＤ３を出力して表示手段１３を制御する。表示手段１３は表示データＤ３に基づいて「認証ＦＡＩＬ」を表示する。その後、ステップＢ１８に移行して、ＣＰＵ２５は認証施行回数Ｍ’が認証許可回数以下（Ｍ’≦認証許可回数）か否かを判定する。認証施行回数Ｍ’が認証許可回数以下の場合はステップＢ１９に移行して認証施行回数Ｍ’を１つインクリメントすべくＭ’＝Ｍ’＋１して、図４に示したフローチャートのステップＢ８に戻る。ステップＢ８でＣＰＵ２５は、「認証データ待ち」を表示するように表示手段１３を表示制御する。これ以降、上述した処理を繰り返すようになされる。
【００５７】
そして、図５に示したフローチャートのステップＢ１８で認証施行回数Ｍ’が認証許可回数を越える場合、及び、ステップＢ１４で起動要因によるアプリケーションに基づく各種データ処理を終了すると共に、ステップＢ２０に移行してセット「ＰＯＷＥＲ  ＯＦＦ」か否かを検出して終了判断をする。例えば、電源オフ情報を検出して認証処理を終了する。
【００５８】
このように、本発明に係る実施形態としての携帯情報端末装置の所有者認証システム及びその所有者認証方法によれば、所有者データＤ１が記録された磁気カード２に基づいて任意の情報を処理する場合に、ユーザが認証データ（Ｎ）を更新するためのアプリケーションを立ち上げ、その中で認証に使用する磁気カード２をセット上にあるスロット１４に通すことで入力し、ユーザがその所有者データＤ１をもって認証データ（Ｎ）とすること、すなわち、その磁気カード２をもって認証のための磁気カード２とすることを指示（アプリケーション内での変更指示）することにより実現される。
【００５９】
このような構成を採ると、認証データ（Ｎ）を登録した以後、その時に持ち合わせた磁気カード２から読取られた認証データ（Ｎ）と、予め登録された磁気カード２の認証データ（Ｎ）とが一致した場合に、正規ユーザが当該携帯情報端末装置１００を使用することが認められ、ユーザは通常通り携帯情報端末装置１００を使用できるようになる。
【００６０】
また、この所有者認証システム１における携帯情報端末装置１００によれば、ＣＰＵ２５は、磁気カード２から磁気ヘッド１５を使用して読み取られた所有者データＤ１を認証入力データとしたとき、予めＥＥＰＲＯＭ１８に記憶された認証データ（Ｎ）と、それ以後、磁気カード２から読み取られた認証入力データとを比較し、この比較結果に基づいて当該装置の所有者を認証するようになされる。
【００６１】
従って、当該携帯情報端末装置１００の所有者が本人認証用の認証データ（Ｎ）を任意に設定することができるし、また、予め任意に設定された本人認証用の認証データ（Ｎ）に基づいて当該装置の所有者を認証することができるので、クレジットカードや、キャッシュカード等の所有者データＤ１が記録された既存の磁気カード２を使用した携帯情報端末装置１００の所有者認証システム１の提供に寄与するところが大きい。
【００６２】
この他、所有者認証システム１によれば、次のような効果が得られる。既存の磁気カード２を使用することにより、新たに磁気カード２を持つ不便さや、コストアップが防げる。磁気ヘッド１５、スロット１４及び信号処理部１６等の簡単な機能を当該装置に追加するだけで、セキュリティモードを実現することができ、セット本体サイズへの影響はそれほど大きくならない。
【００６３】
また、常に持ち歩いている磁気カード２であれば、従来方式のような「鍵」を持ち忘れて使用できなくなるという不便さを防げる。その磁気カード２がクレジットカードであれば、携帯情報端末装置１００のセキュリティ用としてのみならずその磁気カード情報を利用して、インターネットでのショッピングなどの支払いに対しても使用することができる。
【００６４】
つまり、携帯情報端末装置１００と磁気カード２の両方を有しているということは、本人である可能性が非常に高いので、仮に携帯情報端末装置１００と磁気カード２のいずれかを置き忘れて紛失し、その紛失した物が発見されたとき、当該携帯情報端末装置１００が被立証対象物となった場合に、この装置を本人の物であることを立証したり、あるいは、クレジットカードが被立証対象物となった場合に、このカードが本人の物であることを容易に立証できるようになる。
【００６５】
本発明に係る実施形態では、カードに関して磁気カード２の場合について説明したが、これに限られることはなく、本発明方式を電子カードについて適用してもよい。この場合、非接触方式の読取り手段を使用し、この電子カードを読取り手段上にかざすことで、この電子カードから所有者データＤ１を読取るようになされる。これらの読取り手段は、ＰＤＡ本体内に設けずに、外部に取付ける方式であってもよい。同一の効果が得られる。
【００６６】
【発明の効果】
以上説明したように、本発明に係る携帯情報端末装置によれば、所有者情報が記録されたカードに基づいて情報を処理する場合に、そのカードから読み取られる所有者情報を認証入力データとしたとき、予め記憶手段に記憶された認証データとカードから読み取られた認証入力データとを比較し、この比較結果に基づいて当該装置の所有者を認証する制御手段を備えるものである。
【００６７】
この構成によって、予め任意に設定された本人認証用の認証データに基づいて当該装置の所有者を認証することができるので、クレジットカードや、キャッシュカード等の所有者情報が記録された既存のカードを使用した携帯情報端末装置の所有者認証システムの提供に寄与するところが大きい。
【００６８】
本発明に係る携帯情報端末装置の所有者認証方法及び、その所有者認証システムによれば、予め携帯情報端末装置を使用してカードから所有者情報を読み取って本人を認証する認証データを登録し、以後、その携帯情報端末装置を使用してカードから読み取られる所有者情報を認証入力データとしたとき、予め登録された認証データとカードから読み取られた認証入力データとを比較し、この比較結果に基づいて携帯情報端末装置の所有者を認証するようになされる。
【００６９】
この構成によって、携帯情報端末装置の所有者が本人認証用の認証データを任意に設定することができるので、クレジットカードや、キャッシュカード等の所有者情報が記録された既存のカードを使用して携帯情報端末装置の所有者を認証することができる。
【００７０】
この発明は、携帯電話機、携帯ゲーム機、電子手帳、ノート型のパーソナルコンピュータ等の所有者認証に適用して極めて好適である。
【図面の簡単な説明】
【図１】本発明に係る実施形態としての携帯情報端末装置１００の所有者認証システム１の構成例を示す概念図である。
【図２】磁気情報読取り機能付きの携帯情報端末装置１００の内部構成例を示すブロック図である。
【図３】携帯情報端末装置１００における認証データ登録時の処理例を示すフローチャートである。
【図４】携帯情報端末装置１００における所有者認証時の処理例（その１）を示すフローチャートである。
【図５】携帯情報端末装置１００における所有者認証時の処理例（その２）を示すフローチャートである。
【符号の説明】
１・・・所有者認証システム、２・・・磁気カード、１１・・・ＰＤＡ本体部、１２・・・操作ボタン、１３・・・表示手段、１５・・・磁気ヘッド（情報読取手段）、１８・・・ＥＥＰＲＯＭ（記憶手段）、２１・・・ＲＯＭ（記憶手段）、２４・・・操作手段、２５・・・ＣＰＵ（制御手段）、１００・・・携帯情報端末装置
【図１】
2005010847.tif 000003
【図２】
2005010847.tif 000004
【図３】
2005010847.tif 000005
【図４】
2005010847.tif 000006
【図５】
2005010847.tif 000007